(57)【要約】【課題】遊技機用制御基板におけるコネクタの繰り返し使用を可能にしつつ、そのコネクタに対する不正行為を確実に防止する。【解決手段】遊技機の制御基板４０に対して、市販のコネクタ２０によりハーネス３０を接続する。制御基板４０の表面に実装されるプラグ２１に固定台５０を取付ける。固定台５０は、プラグ２１へのジャック２２の差し込みによりプラグ２０に固定される。固定された固定台５０に保護蓋６０を装着してコネクタ２０を覆う。保護蓋６０は、固定台５０に取外し不能に結合されると共に、破壊が可能でその破壊によってのみ固定台５０から分離される。【選択図】図１
2008212191.tif 000002
【特許請求の範囲】
【請求項１】
遊技機の制御用基板にハーネスを接続するための遊技機用コネクタであって、前記基板の表面に実装されたプラグと、前記ハーネスの先端部に接続されており、前記プラグに挿入されてその挿入状態にロックされると共にそのロック状態を解除できる脱着式のジャックと、ジャックが挿入されない状態でプラグに装着され、そのプラグに挿入されたジャックによって前記装着状態に固定される固定台と、プラグに挿入されたジャックを覆うカバーであり、プラグに装着された固定台に取外し不能に結合されると共に、破壊が可能でその破壊によってのみ固定台から分離される保護蓋とを具備する遊技機用コネクタ。
【請求項２】
請求項１に記載の遊技機用コネクタにおいて、保護蓋は内部が透視可能な透光性樹脂からなる遊技機用コネクタ。
【請求項３】
請求項１に記載の遊技機用コネクタにおいて、保護蓋はニッパー等による切断分離が容易な線状の膨出部を有する遊技機用コネクタ。
【請求項４】
請求項３に記載の遊技機用コネクタにおいて、前記線状の膨出部は前記保護蓋を両側に２分する中央部に設けられている遊技機用コネクタ。
【請求項５】
請求項１に記載の遊技機用コネクタにおいて、ジャックに接続されたハーネスが、固定台を装着状態に固定する係止部を兼ねる遊技機用コネクタ。
【請求項６】
請求項１に記載の遊技機用コネクタにおいて、保護蓋は、ジャックに備わる固定爪をロック状態に保持するストッパーを有する遊技機用コネクタ。
【発明の詳細な説明】
【技術分野】
【０００１】
本発明は、パチスロ機と呼ばれる回胴式遊技機やパチンコ機といった遊技機の制御用主基板に使用されるコネクタに関し、より詳しくは、不正改造防止機能を備えた遊技機用コネクタに関する。
【背景技術】
【０００２】
近年、パチンコ機だけではなく、パチスロ機と称される回胴式遊技機を用いた遊技が、従来のパチンコホールやパチスロ専用ホールで盛んに行われている。これらの遊技機においては、制御用主基板に搭載されたＲＯＭ内の情報により当選確率等が支配される。このため、制御用主基板に対するセキュリティの確保が、機種を問わず重大な技術課題になっている。
【０００３】
すなわち、この種の遊技機においては、機器内を頻繁に操作する必要から、前扉により前面が開閉されるため、機器内の制御用主基板は否が応にも人目に曝されることになる。このため、制御用主基板の改造（ＲＯＭの付け替えなど）といった不正行為が後を絶たず、これに対処するために、制御用主基板の取付け装置には、不正改造を阻止するための様々な工夫が講じられている。
【０００４】
不正改造を阻止するための工夫を講じた典型的な基板取付け装置を図４に示す。ここに示された基板取付け装置は、遊技機のキャビネットの背板の表面に制御用主基板を取付けるためのものであり、その主基板を収容する比較的薄型の基板ケース１０と、基板ケース１０を背板に固定するための図示されないケースホルダーとを備えている。
【０００５】
基板ケース１０は、長方形の主基板を正面に保持する長方形のベース１１と、ベース１１に保持された主基板を覆うべくベース１１に取付けられる長方形のカバー１２とを有しており、内部の主基板が見えるようにいずれも透明樹脂により形成されている。カバー１２は、基板ケース１０内に主基板を封入するために、下辺の係合部と上辺両側部に取付けられた複数のカシメピン１３とにより、ベース１１に封印固定される。
【０００６】
制御用主基板を内部に封入した基板ケース１０は、ケースホルダーの下辺部に設けられた複数の突起と、基板ケース１０の上辺中央部に保持された複数のカシメピン１４とにより、ケースホルダーに固定される。
【０００７】
制御用主基板は、外部回路との電気的接続のために、複数のコネクタ２０を下縁部正面に有している。個々のコネクタ２０は市販品であって、主基板の表面に実装されるプラグ２１と、これに差し込まれるジャック２２とからなる。プラグ２１は横に長い長方形であり、レセプタクルと呼ばれるジャック２２を受け入れるために、基板ケース１０のカバー１２に設けられた横長の開口部１５からカバー１２の正面側に突出している。
【０００８】
ジャック２２は、プラグ２１に対応する横に長い長方形のブロックであって、ベルト状のハーネス３０の先端部に接続されており、プラグ２１に挿入されてプラグ２１と電気的に接続される。ジャック２２を挿入状態に固定するために、ジャック２２は両側に回動式の固定爪２３，２３を装備している。固定爪２３，２３は、ジャック２２をプラグ２１に挿入することにより、解放状態からロック状態に回動する。固定爪２３，２３を両側からつまんでロック状態から解放状態へ操作することにより、ジャック２２はプラグ２１から引き抜き可能となる。基板ケースとケースホルダーを組み合わせた同様の基板取付け装置は、例えば特許文献１にも記載されている。
【０００９】
【特許文献１】特開２００１−１７０２５５号公報
【００１０】
このような基板取付け装置によると、カシメピン１３，１４によるカシメ封印部をニッパー等の工具で破壊しない限り、基板ケース１０をケースホルダーから取り外すことができないし、基板ケース１０を開放することもできない。そして、カシメ封印部をニッパー等の工具で破壊した場合は、その痕跡が明確に残り、その痕跡は遊技機を前扉を開けると直ぐに見付けることができる。これに加えて、透明な基板ケース１０を通して内部の制御用主基板の表面を直接監視することもできる。これらの結果として、基板ケース１０を開放して制御用主基板に細工するとか、基板ケース１０ごと制御用主基板を取り替えるといった不正行為は効果的に防止される。
【００１１】
ところが、制御用主基板に対するセキュリティ度の向上に従い、手口が異なる不正行為が横行し始めており、その一つがコネクタ２０に対する不正行為である。すなわち、制御用主基板は、様々な信号授受のために幾つかのコネクタ２０を装備しており、これらのコネクタ２０及びハーネス３０を介して遊技機の操作部やドラム制御部、演出用のサブ基板等と接続される。これらのコネクタ２０は、制御用主基板が故障した場合や不良品であった場合に交換が必要なため、プラグ２１とジャック２２を分離不能に完全固定することができず、制御用主基板上の挿抜容易な場所（前述の主基板では下縁部正面）に挿抜可能なまま露出して取付けられている。このためコネクタ２０を無断で分離してプラグ２１とジャック２２の間に不正部品を介在させるなどの不正行為が横行し始めているのである。
【００１２】
要するに、制御用主基板に対しては前述したような取付け装置が開発され、セキュリティ度も高いが、コネクタ２０に対しては主基板交換のために挿抜可能なまま主基板上に取付けられているのが現状であり、不正行為に対しては無力である。コネクタ２０を分離不能の構造とすれば、不正行為は防止できるが、分離の度に新品への取り替えが必要となり、手間の上でもコストの上でも大きな負担を強いられることになる。
【発明の開示】
【発明が解決しようとする課題】
【００１３】
本発明の目的は、制御用基板のコネクタの繰り返し使用を可能にしつつ、そのコネクタに対する不正行為を確実に防止することができる遊技機用コネクタを提供することにある。
【課題を解決するための手段】
【００１４】
上記目的を達成するために、本発明の遊技機用コネクタは、遊技機の制御用基板にハーネスを接続するための遊技機用コネクタであって、前記基板の表面に実装されたプラグと、前記ハーネスの先端部に接続されており、前記プラグに挿入されてその挿入状態にロックされると共にそのロック状態を解除できる脱着式のジャックと、ジャックが挿入されない状態でプラグに装着され、そのプラグに挿入されたジャックによって前記装着状態に固定される固定台と、プラグに挿入されたジャックを覆うカバーであり、プラグに装着された固定台に取外し不能に結合されると共に、破壊が可能でその破壊によってのみ固定台から分離される保護蓋とを具備している。
【００１５】
本発明の遊技機用コネクタにおいては、制御用基板の表面に実装されたプラグに固定台を装着し、この状態でプラグにジャックを挿入し固定すると、プラグに固定されたジャックによって固定台がプラグに固定される。その固定台に保護蓋を取付ければ、プラグ及びジャックが固定台及び保護蓋によって覆われ保護される。保護蓋は破壊しない限り固定台から取り外すことはできず、破壊した場合はその痕跡が明確に残る。このためコネクタへの不正行為が防止される。
【００１６】
遊技機メーカー或いはホールの側において、制御用基板の交換等、コネクタを分離しなければならなくなったときは、保護蓋を破壊する。これにより、保護蓋が固定台から分離される。保護蓋が外れるとコネクタが露出し、ジャックの取外しが可能となる。ジャックが外れると、固定台はジャックによる拘束から解放され、プラグから外れる。保護蓋或いは保護蓋及び固定台は破壊され、再使用は不可能であるが、コネクタは損傷を受けないので、次の接続においてもそのまま使用できる。次の接続では、新しい固定台及び保護蓋が必要になるが、プラグ・ジャックを交換する場合と比べて、交換に要する手数、経費は著しく軽減される。
【００１７】
ここで、本来のコネクタ、すなわちプラグ・ジャックは市販品を使用できる。市販のコネクタに固定台・保護蓋を組み合わせることで、繰り返し使用を可能につつ、そのセキュリティ度を飛躍的に向上させることができるのが、本発明の遊技機用コネクタの大きな特徴点の一つである。
【００１８】
保護蓋は、内部のコネクタの状態を確認するために、内部の透視が可能な透光性樹脂により構成するのが好ましく、同じ理由から、固定台についても透光性樹脂により構成するのが好ましい。
【００１９】
コネクタを脱着するときは保護蓋が破壊される。この破壊を容易ならしめるために、保護蓋はニッパー等による切断分離が容易な線状の膨出部を、破壊予定部として有するのが好ましい。この構成にあっても、破壊の痕跡が保護蓋に明確に残ることは言うまでもない。むしろ破壊予定部を意図的に形成することにより、破壊の有無の判断が容易になる。
【００２０】
破壊予定部である線状の膨出部は、保護蓋を両側に２分する中央部に設けるのが好ましい。これにより、保護蓋を両側へ容易に２分でき、固定台からの取外しが容易となる。
【００２１】
固定台は、プラグに挿入固定されたジャックにより固定位置に係止されるが、ジャックに接続されたハーネスを、固定台を装着状態に固定する係止部として利用することもできる。ハーネスの利用により、ジャックへの固定台の固定を、簡単な構成で、しかも確実に実現することができる。
【００２２】
保護蓋は又、ジャックに備わる固定爪をロック状態に保持するストッパーを有する構成が好ましい。この構成によると、仮に部外者が保護蓋に孔を空けてジャックの固定爪を解放状態へ操作しようとしても、解放状態への動作が阻止される。また、固定台に脱離方向の外力が付加された場合、ジャックの固定爪に解放方向の外力が付加されるおそれがあるが、固定爪の解放方向への動作が阻止される。これらにより、コネクタのセキュリティ度を効果的に高めることができる。
【００２３】
固定台及び保護蓋は、プラグ・ジャックの向きに応じて上下反転して使用することもできる。
【発明の効果】
【００２４】
本発明の遊技機用コネクタは、制御用基板のジャックにプラグを利用して固定される固定台と、その固定台に取外し不能に結合されると共に、破壊が可能でその破壊によってのみ固定台から分離される保護蓋とを、本来のコネクタに組み合わせることにより、制御用基板のコネクタの繰り返し使用を可能にしつつ、そのコネクタに対する不正行為を確実に防止することができ、安全性及び経済性の両方を著しく高めることができる。また、市販品のコネクタに適用でき、そのセキュリティ度を簡単に向上させることができる。
【発明を実施するための最良の形態】
【００２５】
以下、本発明の実施形態を図面に基づいて詳細に説明する。図１は本発明の一実施形態を示す遊技機用コネクタの３面図、図２は同コネクタの組立手順の説明図、図３は同コネクタの分解手順の説明図である。
【００２６】
本実施形態の遊技機用コネクタは、図１及び図２に示すように、遊技機としてのパチスロ機の制御用主基板４０に使用される。制御用主基板４０は、図４に示した基板ケースと同様に、当該主基板に対する不正行為を防ぐために、基板ケース１０内に封入されている。この基板ケース１０は、遊技機キャビネットの背板の表面に取付けられたケースホルダー表面に固定ピンにより取外し不能に取付けられる。
【００２７】
この基板ケース１０は、長方形の主基板４０を正面に保持する長方形の取付けベース１１と、取付けベース１１に保持された主基板４０を覆うべくベース１１に取付けられる長方形のカバー１２とを有している。ベース１１及びカバー１２は、内部の主基板が見えるようにいずれも透明樹脂により形成されている。カバー１２は、基板ケース１０内に主基板を封入するために、下辺の係合部と上辺両側部に取付けられた複数のカシメピンとによりベース１１に封印固定される。そして、この基板ケース１０は、ケースホルダーの下辺部に設けられた複数の突起と、基板ケース１０の上辺中央部に保持された複数のカシメピンとにより、前述したケースホルダーに固定される。
【００２８】
制御用主基板４０は、外部回路との電気的接続のために、複数のコネクタ２０を下縁部正面に有している。各コネクタ２０は市販品（ＫＥＬ８８２５シリーズ）であり、主基板の表面に実装されるプラグ２１と、これに差し込まれるジャック２２とからなる。プラグ２１は横に長い長方形の樹脂ブロックであり、ジャック２２を受け入れるために、基板ケース１０のカバー１２に設けられた横長の開口部１５からカバー１２の正面側に突出している。
【００２９】
レセクタプルと呼ばれるジャック２２は、プラグ２１に対応する横に長い長方形の樹脂ブロックであって、ベルト状のハーネス３０の先端部に接続されており、プラグ２１に挿入されてプラグ２１と電気的に接続される。ジャック２２の不用意な脱離を防止するために、ジャック２２は回動式の固定爪２３，２３を両側部に装備している。両側の固定爪２３，２３は、垂直な回動支点の先端側に爪部２４，２４、手前側に操作部２５，２５をそれぞれ有しており、ジャック２２が未挿入の状態で操作部２５，２５が内側へ押し込まれ、爪部２４，２４が外側へ開く。この状態からジャック２２をプラグ２１に押し込むと、先端側の爪部２４，２４が内側へ閉じ、手前側の操作部２５，２５が外側へ開く。先端側の爪部２４，２４が内側へ閉じることにより、ジャック２２はプラグ２１に脱離不能に固定される。この状態で手前側の操作部２５，２５を内側へ押し込むと、先端側の爪部２４，２４が外側へ開いてプラグ２１から外れ、ジャック２２はプラグ２１から離脱可能となる。
【００３０】
このようなコネクタ２０は、不正行為防止のために、当該コネクタ２０に固定される固定台５０と、固定台５０に取付けられる保護蓋６０と組み合わされる。固定台５０及び保護蓋６０は、内部のコネクタ２０の状態を外部から視認できるように、透明な樹脂により構成されている。
【００３１】
固定台５０は、プラグ２１を包囲する長方形の枠体である。この固定台５０はプラグ２１に嵌合する長方形の本体部５１と、本体部５１の後部を包囲するべくその外側に一体的に設けられた角枠状の保護部５２とを有している。本体部５１の後部外面、特に上面の両側部及び下面の両側部には、保護蓋６０を係止するための突起５３がそれぞれ設けられている。保護部５２は、下側の中央部を残して本体部５１の後部を包囲しており、本体部５１とは後端部で一体化されている。下側の中央部を開放部としているのは、ハーネス３０を外部へ引き出すための開口部を形成するためである。
【００３２】
この固定台５０はコネクタ２０のプラグ２１に外嵌し、この状態でプラグ２１にジャック２２を装着することにより、コネクタ２０に固定される。具体的には、プラグ２１に差し込まれたジャック２２、特にジャック２２に接続されたハーネス３０により主に抜け止めされる。具体的に説明すると、ハーネス３０の端部は逆Ｕ字状に折り曲げてジャック２２に固定されており、先端部がジャック２２の下方へ、また折り曲げ頂部３１がジャック２２の上方へ各突出している。プラグ２１に外嵌された固定台５０は、そのプラグ２１に装着されたジャック２２、特にそのジャック２２から上方へ突出するハーネス３０の折り曲げ頂部３１により主に抜け止めされ、コネクタ２０に固定される。また、両側の固定爪２３，２３の外側に開いた操作部２５，２５や、ジャック２２から下方へ突出するハーネス３０の先端部も固定台５０の抜け止めに寄与する。
【００３３】
保護蓋６０は、長方形の固定台５０に連結固定されてコネクタ２０を覆う横に長い長方形のキャップ状樹脂体である。保護蓋６０の後部外面、特に上面の両側部及び下面の両側部には、固定台５０の突起５３が嵌合する複数の開口部６１が設けられている。保護蓋６０の下面側の後部には、両側部を残して横に長い切欠き部が設けられている。切欠き部６２は、固定台５０の開放部と共同して、ハーネス３０を外部へ引き出すための開口部を形成する。
【００３４】
保護蓋６０の中央部には、線状の膨出部６３が受けられている。線状の膨出部６３は、断面が外に凸の半円形をした湾曲部であって、保護蓋６０の上面部、正面部及び下面部に保護蓋５０の左右を２分するように設けられている。この膨出部６３はニッパー等で容易に切除することができる。この切除により、保護蓋６０は左右に２分割される。保護蓋６０の正面部には、両側一対のストッパー６４，６４が設けられている。ストッパー６４，６４は、正面部の裏面から裏側へ突出した棒体であり、保護蓋６０を固定台５０へ装着した状態で、ジャック２２の両側の固定爪２３，２３の外側へ開いた操作部２５，２５の内側に位置して、操作部２５，２５が内側へ移動するのを阻止する。これにより、ジャック２２はプラグ２１に固定された状態を維持する。
【００３５】
次に、本実施形態の遊技機用コネクタの使用方法及び機能について説明する。
【００３６】
コネクタ２０を接続する場合は、図２（ａ）（ｂ）に示すように、制御用主基板４０の表面に実装されて基板ケース１０の正面側へ露出するコネクタ２０のプラグ２１に角枠状の固定台５０を外嵌装着する。次いで、そのプラグ２１に、ハーネス３０の先端部に接続されたジャック２２を差し込む。差し込まれたジャック２２は両側の固定爪２３，２３によりプラグ２１に脱離不能に固定される。具体的には、両側の固定爪２３，２３が先広がりの解放状態から先すぼまりのロック状態に回動し、先端側の爪部２４，２４がプラグ２１に係合する。これに伴って、手前側の操作部２５，２５は外側に広がる。プラグ２１に固定されたジャック２２のハーネス３０の突出部、及び両側の操作部２５，２５により、固定台５０はプラグ２０に対して抜け止めされ固定される。
【００３７】
プラグ２１へのジャック２２の挿入、及び固定台５０の固定が終わると、図２（ｃ）（ｄ）に示すように、固定された固定台５０に角キャップ状の保護蓋６０を押し込み固定する。保護蓋６０の後部が固定台５０の本体部５１と保護部５２との間に差し込まれ、固定台５０の４つの突起５３が保護蓋６０の４つの開口部６１に嵌合することにより、保護蓋６０は固定台５０に脱離不能に固定される。ジャック２０の固定爪２３，２３の操作部２５，２５の内側にストッパー６４，６４が存在するため、固定爪２３，２３が解放方向へ動作する危険もない。特に、保護蓋６０の側面に孔を開けてジャック２２を外す（固定爪２３の操作部２５を内側へ押す）ような不正行為が試みられても、固定爪２３は回動しないので、このような不正行為を防止できる。
【００３８】
ハーネス３０はプラグ２２から、固定台５０と保護蓋６０の間を経て下側へ引き出される。
【００３９】
固定台５０に固定された保護蓋６０は、破壊しない限り固定台５０から脱離しない。もし仮に、保護蓋６０が破壊されて内部のコネクタ２０に不正行為が行われた場合、その保護蓋６０を再装着しても保護蓋６０に破壊の痕跡が明確に残るので、不正行為が一目で分かる。固定台５０及び保護蓋６０は共に透明樹脂からなり、内部を視認できるので、内部のコネクタ２０の状態を外部から監視できる。固定台５０及び保護蓋６０の上下反転使用が可能なことは前述したとおりである。
【００４０】
基板ケース１０内の制御用主基板４０が不良品であったり故障を生じた場合は、制御用主基板４０を交換しなければならない。そのときは、コネクタ２０のプラグ２１からジャック２２を意図的に引き抜く必要がある。この場合は、図３（ａ）に示すように、保護蓋６０の中央部（上面、正面、下面）に設けられた線状の膨出部６３をニッパー等の工具で切除する。これにより、保護蓋６０は左右に２分割される。左右に２分割されれば、図３（ｂ）（ｃ）に示すように、分割部にドライバー等の工具を差し込み、保護蓋６０を半分ずつこじ開け、固定台５０から分離する。このように、保護蓋６０は、膨出部６３の切除により、比較的簡単に破壊され、固定台５０から除去することができる。
【００４１】
保護蓋６０が除去されると、通常の操作によりコネクタ２０のジャック２２をプラグ２１が引き抜く。すなわち、両側の固定爪２３，２３をロック状態から解放状態へ操作し、ジャック２２を手前へ引き抜く。保護蓋６０が除去されていれば、ストッパー６４，６４による阻止がないので、固定爪２３，２３はスムーズに操作れれる。これにより、市販品であるコネクタ２０を傷つけることなく分離することができる。制御用主基板４０の交換後はそのプラグ２１にジャック２２を再度差し込む。
【００４２】
本発明の遊技機用コネクタは、制御用主基板４０の全てのコネクタに実施する必要はなく、回動式遊技機の場合は、少なくとも内部抽選やドラム停止、メダル投入等、図柄変動表示ゲームの主体に係わる信号の授受に使用されるコネクタに実施すればよい。換言すれば不正行為が行われる危険のあるコネクタに実施すればよいといことであり、サブ基板との接続コネクタなど、不正行為が意味をなさず、その行為の危険がないコネクタにまで実施する必要はないということである。
【００４３】
本発明の遊技機用コネクタは又、上記実施形態では制御用主基板４０に使用されているが、これに限定するもではなく、サブ基板や操作部用基板などの他の制御用基板に使用することも可能である。
【図面の簡単な説明】
【００４４】
【図１】本発明の一実施形態を示す遊技機用コネクタの構造説明図で、（ａ）はコネクタ周辺の正面図、（ｂ）は図ａ中のＡ−Ａ線断面矢示図、（ｃ）は図ａ中のＢ−Ｂ線断面矢示図である。
【図２】（ａ）（ｂ）（ｃ）及び（ｄ）は同コネクタの組立手順を段階的に示す斜視図である。
【図３】（ａ）（ｂ）及び（ｃ）は同コネクタの組立手順を段階的に示す斜視図である。
【図４】従来の遊技機用コネクタの構造説明図で、（ａ）は同コネクタを使用した制御用主基板の斜視図で基板ケースに収容さた状態を示し、（ｂ）（ｃ）は同コネクタの組立手順を段階的に示す斜視図である。
【符号の説明】
【００４５】
１０  基板ケース
１１  ベース
１２  カバー
２０  コネクタ
２１  プラグ
２２  ジャック
２３  固定爪
３０  ハーネス
３１  折り曲げ頂部
４０  制御用主基板
５０  固定台
６０  保護蓋
６３  切断分離用の膨出部
６４  ストッパー
【図１】
2008212191.tif 000003
【図２】
2008212191.tif 000004
【図３】
2008212191.tif 000005
【図４】
2008212191.tif 000006
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
遊技機の制御用基板と外部回路とをハーネスにより電気的に接続し、前記ハーネスの先端部に接続されたジャック及び前記制御用基板に実装されたプラグからなる遊技機用コネクタを保護する保護具において、
前記プラグを包囲する枠体であって前記プラグに外嵌する固定台と、
前記固定台に連結固定され、前記コネクタを覆うキャップ状の保護蓋とを具備し、
前記保護蓋には、その裏面から裏側へ突出した両側一対のストッパーが設けられており、
前記ハーネスの端部は、逆Ｕ字状に折り曲げられ、その折り曲げ頂部が前記ジャックの上方へ突出するように前記ジャックに固定されており、
前記ジャックは、押し込み方向に対して回動支点の先端側に爪部を、手前側に操作部を有する回動式の固定爪を両側部に装備し、
前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置すること、
を特徴とする保護具。
【請求項２】
請求項１に記載の保護具において、
前記保護蓋は、その内部が透視可能な透光性樹脂からなること、
を特徴とする保護具。
【請求項３】
請求項１又は請求項２に記載の保護具において、
前記保護蓋は、その長手方向中央部の上面、正面及び下面のそれぞれに切断分離用に設けられた線状の膨出部を具備すること、
を特徴とする保護具。
【請求項４】
請求項１乃至請求項３のいずれかに記載の保護具において、
前記固定台の突起が前記保護蓋の開口部に嵌合することにより、前記固定台と前記保護蓋が連結固定されること、
を特徴とする保護具。
【請求項５】
外部回路とハーネスにより電気的に接続される遊技機の制御用基板において、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とから成り、
前記保護蓋には、その裏面から裏側へ突出した両側一対のストッパーが設けられており、
前記ハーネスの端部は、逆Ｕ字状に折り曲げられ、その折り曲げ頂部が前記ジャックの上方へ突出するように前記ジャックに固定されており、
前記ジャックは、押し込み方向に対して回動支点の先端側に爪部を、手前側に操作部を有する回動式の固定爪を両側部に装備し、
前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置すること、
を特徴とする制御用基板。
【請求項６】
外部回路とハーネスにより電気的に接続された制御用基板を基板ケース内に封入して、キャビネットに取付けられた遊技機において、
前記制御用基板は、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とから成り、
前記保護蓋には、その裏面から裏側へ突出した両側一対のストッパーが設けられており、
前記ハーネスの端部は、逆Ｕ字状に折り曲げられ、その折り曲げ頂部が前記ジャックの上方へ突出するように前記ジャックに固定されており、
前記ジャックは、押し込み方向に対して回動支点の先端側に爪部を、手前側に操作部を有する回動式の固定爪を両側部に装備し、
前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置すること、
を特徴とする遊技機。
【請求項７】
遊技機の制御用基板と外部回路とをハーネスにより電気的に接続し、前記ハーネスの先端部に接続されたジャック及び前記制御用基板に実装されたプラグからなる遊技機用コネクタを保護する保護具において、
前記プラグを包囲する枠体であって前記プラグに外嵌する固定台と、
前記固定台に連結固定され、前記コネクタを覆うキャップ状の保護蓋とを具備し、
前記ハーネスの端部は、逆Ｕ字状に折り曲げられ、その折り曲げ頂部が前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする保護具。
【請求項８】
外部回路とハーネスにより電気的に接続される遊技機の制御用基板において、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とを具備し、
前記ハーネスの端部は、逆Ｕ字状に折り曲げられ、その折り曲げ頂部が前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする制御用基板。
【請求項９】
外部回路とハーネスにより電気的に接続された制御用基板を基板ケース内に封入して、キャビネットに取付けられた遊技機において、
前記制御用基板は、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とを具備し、
前記ハーネスの端部は、逆Ｕ字状に折り曲げられ、その折り曲げ頂部が前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする遊技機。
【手続補正３】
【補正対象書類名】明細書
【補正対象項目名】００１４
【補正方法】変更
【補正の内容】
【００１４】
上記目的を達成するために、請求項１に係る本発明の保護具は、遊技機の制御用基板と外部回路とをハーネスにより電気的に接続し、前記ハーネスの先端部に接続されたジャック及び前記制御用基板に実装されたプラグからなる遊技機用コネクタを保護する保護具において、前記プラグを包囲する枠体であって前記プラグに外嵌する固定台と、前記固定台に連結固定され、前記コネクタを覆うキャップ状の保護蓋とを具備し、前記保護蓋には、その裏面から裏側へ突出した両側一対のストッパーが設けられており、前記ハーネスの端部は、逆Ｕ字状に折り曲げられ、その折り曲げ頂部が前記ジャックの上方へ突出するように前記ジャックに固定されており、前記ジャックは、押し込み方向に対して回動支点の先端側に爪部を、手前側に操作部を有する回動式の固定爪を両側部に装備し、前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置することを特徴とする。
請求項２に係る本発明の保護具は、請求項１に記載の保護具において、前記保護蓋は、その内部が透視可能な透光性樹脂からなることを特徴とする。
請求項３に係る本発明の保護具は、請求項１又は請求項２に記載の保護具において、前記保護蓋は、その長手方向中央部の上面、正面及び下面のそれぞれに切断分離用に設けられた線状の膨出部を具備することを特徴とする。
請求項４に係る本発明の保護具は、請求項１乃至請求項３のいずれかに記載の保護具において、前記固定台の突起が前記保護蓋の開口部に嵌合することにより、前記固定台と前記保護蓋が連結固定されることを特徴とする。
【手続補正４】
【補正対象書類名】明細書
【補正対象項目名】００１５
【補正方法】変更
【補正の内容】
【００１５】
請求項５に係る本発明の制御用基板は、外部回路とハーネスにより電気的に接続される遊技機の制御用基板において、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とから成り、前記保護蓋には、その裏面から裏側へ突出した両側一対のストッパーが設けられており、前記ハーネスの端部は、逆Ｕ字状に折り曲げられ、その折り曲げ頂部が前記ジャックの上方へ突出するように前記ジャックに固定されており、前記ジャックは、押し込み方向に対して回動支点の先端側に爪部を、手前側に操作部を有する回動式の固定爪を両側部に装備し、前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置することを特徴とする。
請求項６に係る本発明の遊技機は、外部回路とハーネスにより電気的に接続された制御用基板を基板ケース内に封入して、キャビネットに取付けられた遊技機において、前記制御用基板は、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とから成り、前記保護蓋には、その裏面から裏側へ突出した両側一対のストッパーが設けられており、前記ハーネスの端部は、逆Ｕ字状に折り曲げられ、その折り曲げ頂部が前記ジャックの上方へ突出するように前記ジャックに固定されており、前記ジャックは、押し込み方向に対して回動支点の先端側に爪部を、手前側に操作部を有する回動式の固定爪を両側部に装備し、前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置することを特徴とする。
請求項７に係る本発明の保護具は、遊技機の制御用基板と外部回路とをハーネスにより電気的に接続し、前記ハーネスの先端部に接続されたジャック及び前記制御用基板に実装されたプラグからなる遊技機用コネクタを保護する保護具において、前記プラグを包囲する枠体であって前記プラグに外嵌する固定台と、前記固定台に連結固定され、前記コネクタを覆うキャップ状の保護蓋とを具備し、前記ハーネスの端部は、逆Ｕ字状に折り曲げられ、その折り曲げ頂部が前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
請求項８に係る本発明の制御用基板は、外部回路とハーネスにより電気的に接続される遊技機の制御用基板において、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とを具備し、前記ハーネスの端部は、逆Ｕ字状に折り曲げられ、その折り曲げ頂部が前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
請求項９に係る本発明の制御用基板は、外部回路とハーネスにより電気的に接続された制御用基板を基板ケース内に封入して、キャビネットに取付けられた遊技機において、前記制御用基板は、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とを具備し、前記ハーネスの端部は、逆Ｕ字状に折り曲げられ、その折り曲げ頂部が前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
遊技機の制御用基板と外部回路とをハーネスにより電気的に接続し、前記ハーネスの先端部に接続されたジャック及び前記制御用基板に実装されたプラグからなる遊技機用コネクタを保護する保護具において、
前記プラグを包囲する枠体であって前記プラグに外嵌する固定台と、
前記固定台に連結固定され、前記コネクタを覆うキャップ状の保護蓋とを具備し、
前記保護蓋には、その裏面から裏側へ突出した両側一対のストッパーが設けられており、
前記ハーネスの端部は、逆Ｕ字状に折り曲げられ、その折り曲げ頂部が、横にした状態の前記ジャックの上方へ突出するように前記ジャックに固定されており、
前記ジャックは、押し込み方向に対して回動支点の先端側に爪部を、手前側に操作部を有する回動式の固定爪を両側部に装備し、
前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置すること、
を特徴とする保護具。
【請求項２】
請求項１に記載の保護具において、
前記保護蓋は、その内部が透視可能な透光性樹脂からなること、
を特徴とする保護具。
【請求項３】
請求項１又は請求項２に記載の保護具において、
前記保護蓋は、その長手方向中央部の上面、正面及び下面のそれぞれに切断分離用に設けられた線状の膨出部を具備すること、
を特徴とする保護具。
【請求項４】
請求項１乃至請求項３のいずれかに記載の保護具において、
前記固定台の突起が前記保護蓋の開口部に嵌合することにより、前記固定台と前記保護蓋が連結固定されること、
を特徴とする保護具。
【請求項５】
外部回路とハーネスにより電気的に接続される遊技機の制御用基板において、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とから成り、
前記保護蓋には、その裏面から裏側へ突出した両側一対のストッパーが設けられており、
前記ハーネスの端部は、逆Ｕ字状に折り曲げられ、その折り曲げ頂部が、横にした状態の前記ジャックの上方へ突出するように前記ジャックに固定されており、
前記ジャックは、押し込み方向に対して回動支点の先端側に爪部を、手前側に操作部を有する回動式の固定爪を両側部に装備し、
前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置すること、
を特徴とする制御用基板。
【請求項６】
外部回路とハーネスにより電気的に接続された制御用基板を基板ケース内に封入して、キャビネットに取付けられた遊技機において、
前記制御用基板は、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とから成り、
前記保護蓋には、その裏面から裏側へ突出した両側一対のストッパーが設けられており、
前記ハーネスの端部は、逆Ｕ字状に折り曲げられ、その折り曲げ頂部が、横にした状態の前記ジャックの上方へ突出するように前記ジャックに固定されており、
前記ジャックは、押し込み方向に対して回動支点の先端側に爪部を、手前側に操作部を有する回動式の固定爪を両側部に装備し、
前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置すること、
を特徴とする遊技機。
【請求項７】
遊技機の制御用基板と外部回路とをハーネスにより電気的に接続し、前記ハーネスの先端部に接続されたジャック及び前記制御用基板に実装されたプラグからなる遊技機用コネクタを保護する保護具において、
前記プラグを包囲する枠体であって前記プラグに外嵌する固定台と、
前記固定台に連結固定され、前記コネクタを覆うキャップ状の保護蓋とを具備し、
前記ハーネスの端部は、逆Ｕ字状に折り曲げられ、その折り曲げ頂部が、横にした状態の前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする保護具。
【請求項８】
外部回路とハーネスにより電気的に接続される遊技機の制御用基板において、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とを具備し、
前記ハーネスの端部は、逆Ｕ字状に折り曲げられ、その折り曲げ頂部が、横にした状態の前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする制御用基板。
【請求項９】
外部回路とハーネスにより電気的に接続された制御用基板を基板ケース内に封入して、キャビネットに取付けられた遊技機において、
前記制御用基板は、
前記ハーネスの端部に接続されたジャック及び前記制御用基板に実装されたプラグからなる遊技機用コネクタと、
前記遊技機用コネクタを保護する保護具を具備し、
前記保護具は、
前記プラグを包囲する枠体であって前記プラグに外嵌する固定台と、
前記固定台に連結固定され、前記コネクタを覆うキャップ状の保護蓋とを具備し、
前記ハーネスの端部は、逆Ｕ字状に折り曲げられ、その折り曲げ頂部が、横にした状態の前記ジャックの上方へ突出するように前記ジャックに固定されており、
前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されること、
を特徴とする遊技機。
【手続補正２】
【補正対象書類名】明細書
【補正対象項目名】００１４
【補正方法】変更
【補正の内容】
【００１４】
上記目的を達成するために、請求項１に係る本発明の保護具は、遊技機の制御用基板と外部回路とをハーネスにより電気的に接続し、前記ハーネスの先端部に接続されたジャック及び前記制御用基板に実装されたプラグからなる遊技機用コネクタを保護する保護具において、前記プラグを包囲する枠体であって前記プラグに外嵌する固定台と、前記固定台に連結固定され、前記コネクタを覆うキャップ状の保護蓋とを具備し、前記保護蓋には、その裏面から裏側へ突出した両側一対のストッパーが設けられており、前記ハーネスの端部は、逆Ｕ字状に折り曲げられ、その折り曲げ頂部が、横にした状態の前記ジャックの上方へ突出するように前記ジャックに固定されており、前記ジャックは、押し込み方向に対して回動支点の先端側に爪部を、手前側に操作部を有する回動式の固定爪を両側部に装備し、前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置することを特徴とする。
請求項２に係る本発明の保護具は、請求項１に記載の保護具において、前記保護蓋は、その内部が透視可能な透光性樹脂からなることを特徴とする。
請求項３に係る本発明の保護具は、請求項１又は請求項２に記載の保護具において、前記保護蓋は、その長手方向中央部の上面、正面及び下面のそれぞれに切断分離用に設けられた線状の膨出部を具備することを特徴とする。
請求項４に係る本発明の保護具は、請求項１乃至請求項３のいずれかに記載の保護具において、前記固定台の突起が前記保護蓋の開口部に嵌合することにより、前記固定台と前記保護蓋が連結固定されることを特徴とする。
【手続補正３】
【補正対象書類名】明細書
【補正対象項目名】００１５
【補正方法】変更
【補正の内容】
【００１５】
請求項５に係る本発明の制御用基板は、外部回路とハーネスにより電気的に接続される遊技機の制御用基板において、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とから成り、前記保護蓋には、その裏面から裏側へ突出した両側一対のストッパーが設けられており、前記ハーネスの端部は、逆Ｕ字状に折り曲げられ、その折り曲げ頂部が、横にした状態の前記ジャックの上方へ突出するように前記ジャックに固定されており、前記ジャックは、押し込み方向に対して回動支点の先端側に爪部を、手前側に操作部を有する回動式の固定爪を両側部に装備し、前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置することを特徴とする。
請求項６に係る本発明の遊技機は、外部回路とハーネスにより電気的に接続された制御用基板を基板ケース内に封入して、キャビネットに取付けられた遊技機において、前記制御用基板は、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とから成り、前記保護蓋には、その裏面から裏側へ突出した両側一対のストッパーが設けられており、前記ハーネスの端部は、逆Ｕ字状に折り曲げられ、その折り曲げ頂部が、横にした状態の前記ジャックの上方へ突出するように前記ジャックに固定されており、前記ジャックは、押し込み方向に対して回動支点の先端側に爪部を、手前側に操作部を有する回動式の固定爪を両側部に装備し、前記操作部が内側へ押し込まれて前記爪部が外側へ開いた状態の前記ジャックを、前記固定台が外嵌された前記プラグに押し込むと、前記爪部が内側へ閉じ且つ前記操作部が外側へ開いて、前記ジャックは前記プラグに固定され、及び、前記固定台は前記ハーネスの前記折り曲げ頂部により抜け止め固定されると共に、この状態で前記保護蓋を前記固定台に装着して連結固定すると、外側へ開いた前記操作部の内側に前記ストッパーが位置することを特徴とする。
請求項７に係る本発明の保護具は、遊技機の制御用基板と外部回路とをハーネスにより電気的に接続し、前記ハーネスの先端部に接続されたジャック及び前記制御用基板に実装されたプラグからなる遊技機用コネクタを保護する保護具において、前記プラグを包囲する枠体であって前記プラグに外嵌する固定台と、前記固定台に連結固定され、前記コネクタを覆うキャップ状の保護蓋とを具備し、前記ハーネスの端部は、逆Ｕ字状に折り曲げられ、その折り曲げ頂部が、横にした状態の前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
請求項８に係る本発明の制御用基板は、外部回路とハーネスにより電気的に接続される遊技機の制御用基板において、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とを具備し、前記ハーネスの端部は、逆Ｕ字状に折り曲げられ、その折り曲げ頂部が、横にした状態の前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。
請求項９に係る本発明の制御用基板は、外部回路とハーネスにより電気的に接続された制御用基板を基板ケース内に封入して、キャビネットに取付けられた遊技機において、前記制御用基板は、前記ハーネスの端部に接続されたジャック及び前記制御用基板に実装されたプラグからなる遊技機用コネクタと、前記遊技機用コネクタを保護する保護具を具備し、前記保護具は、前記プラグを包囲する枠体であって前記プラグに外嵌する固定台と、前記固定台に連結固定され、前記コネクタを覆うキャップ状の保護蓋とを具備し、前記ハーネスの端部は、逆Ｕ字状に折り曲げられ、その折り曲げ頂部が、横にした状態の前記ジャックの上方へ突出するように前記ジャックに固定されており、前記ジャックを前記固定台が外嵌された前記プラグに押し込むと、前記固定台は前記ハーネスの前記折り曲げ頂部により抜け止め固定されると共に、この状態で前記保護蓋を前記固定台に装着することにより連結固定されることを特徴とする。